(57)【要約】      （修正有）【課題】照明装置の取り付けを前提とした加工がなされていないヘルメットにゴムバンドを用いることなく固定可能なヘルメット用照明装置を提供する。【解決手段】電源部１１と電源部１１に電源コード１２を介して連結される照明部１３とを有する。照明部１３は、基板１５と、基板１５の表面側に取り付けられた広角度に光を発する複数の白色発光ダイオード１６と、基板１５の裏面側に設けられた第１の面状ファスナの一方のファスナ片と、ヘルメット１４に貼り付けられる第１の面状ファスナの他方のファスナ片とを有する。電源部１１は、充電式の電池と、電池に直接又は電池ホルダーを介して設けられた第２の面状ファスナの一方のファスナ片と、ヘルメット１４に貼り付けられる第２の面状ファスナの他方のファスナ片とを有する。【選択図】図１
0003168425.tif 000002
【実用新案登録請求の範囲】
【請求項１】
電源部と該電源部に電源コードを介して連結される照明部とを有するヘルメット用照明装置において、
前記照明部は基板と、該基板の表面側に取り付けられた広角度に光を発する複数の白色発光ダイオードと、前記基板の裏面側に設けられた第１の面状ファスナの一方のファスナ片と、ヘルメットに貼り付けられる第１の面状ファスナの他方のファスナ片とを有し、
前記電源部は、充電式の電池と、該電池に直接又は電池ホルダーを介して設けられた第２の面状ファスナの一方のファスナ片と、前記ヘルメットに貼り付けられる第２の面状ファスナの他方のファスナ片とを有することを特徴とするヘルメット用照明装置。
【請求項２】
請求項１記載のヘルメット用照明装置において、前記複数の白色発光ダイオードにはそれぞれ電流制限抵抗が直列に接続されていることを特徴とするヘルメット用照明装置。
【請求項３】
請求項１又は２記載のヘルメット用照明装置において、前記基板はフレキシブル基板であって、前記ヘルメットの凸面に沿って変形して該ヘルメットに接合可能となっていることを特徴とするヘルメット用照明装置。
【請求項４】
請求項１〜３のいずれか１項に記載のヘルメット用照明装置において、前記電池はリチウムイオン２次電池であることを特徴とするヘルメット用照明装置。
【考案の詳細な説明】
【技術分野】
【０００１】
本考案は、ヘルメットに取り付け可能なヘルメット用照明装置に関する。
【背景技術】
【０００２】
暗所での作業現場等では、しばしば作業者が照明装置を取り付けたヘルメットを着用し暗闇で作業を行える明るさを確保している。ヘルメットに照明装置を取り付けることで作業者は両手を自由に使え作業効率を高めることができる。
照明装置をヘルメットに取り付けるにあたっては、ヘルメットに加工を施す方法があり、その具体例が例えば特許文献１に記載されている。
特許文献１には内側に発光ダイオードを取り付けたヘルメットが記載されている。このヘルメットは少なくとも一部が透明体によって形成され、発光ダイオードから発せられる光はこの透明体を通過しヘルメットの外部に出て辺りを照らす。また、光源に消費電力の小さい発光ダイオードを用いているのでランニングコストの抑制が図られている。
【先行技術文献】
【特許文献】
【０００３】
【特許文献１】特開２００７−１１９９８０号公報
【考案の概要】
【考案が解決しようとする課題】
【０００４】
しかしながら、特許文献１は、ヘルメット自体が発光ダイオードの取り付けを前提に設計されたものであり、そのような設計がなされていないヘルメットに対して後付けで照明機能を設けたいという要望に応えることができなかった。
またゴムバンドを用いてヘルメットに取り付けられる照明装置もあるが、ヘルメットの形状や表面のコーティングによってはゴムバンドがヘルメットの表面で滑り照明装置を安定的に固定することができないという課題があった。
本考案はかかる事情に鑑みてなされたもので、照明装置の取り付けを前提とした加工がなされていないヘルメットにゴムバンドを用いることなく固定可能なヘルメット用照明装置を提供することを目的とする。
【課題を解決するための手段】
【０００５】
前記目的に沿う本考案に係るヘルメット用照明装置は、電源部と該電源部に電源コードを介して連結される照明部とを有するヘルメット用照明装置において、前記照明部は基板と、該基板の表面側に取り付けられた広角度に光を発する複数の白色発光ダイオードと、前記基板の裏面側に設けられた第１の面状ファスナの一方のファスナ片と、ヘルメットに貼り付けられる第１の面状ファスナの他方のファスナ片とを有し、前記電源部は、充電式の電池と、該電池に直接又は電池ホルダーを介して設けられた第２の面状ファスナの一方のファスナ片と、前記ヘルメットに貼り付けられる第２の面状ファスナの他方のファスナ片とを有する。
【０００６】
本考案に係るヘルメット用照明装置において、前記複数の白色発光ダイオードにはそれぞれ電流制限抵抗が直列に接続されているのが好ましい。
【０００７】
本考案に係るヘルメット用照明装置において、前記基板はフレキシブル基板であって、前記ヘルメットの凸面に沿って変形して該ヘルメットに接合可能となっているのが好ましい。
【０００８】
本考案に係るヘルメット用照明装置において、前記電池はリチウムイオン２次電池であるのが好ましい。
【考案の効果】
【０００９】
本考案に係るヘルメット用照明装置は、照明部が、基板の裏面側に設けられた第１の面状ファスナの一方のファスナ片と、ヘルメットに貼り付けられる第１の面状ファスナの他方のファスナ片とを有し、電源部が、電池に直接又は電池ホルダーを介して設けられた第２の面状ファスナの一方のファスナ片と、ヘルメットに貼り付けられる第２の面状ファスナの他方のファスナ片とを有するので、照明部と電源部はそれぞれ第１、第２の面状ファスナによってヘルメットに容易に、安定して固定することが可能である。更に、第１、第２の面状ファスナに劣化が生じた場合にも取替えが容易で、メンテナンス性に優れている。
そして、マグネットによって照明部及び電源部を取り付ける場合に比べて軽量化が図れると共に、照明部及び電源部をヘルメットに強固に固定でき脱落の抑制が可能である。
【００１０】
また、白色発光ダイオードは広角度に光を発するタイプであるので、照射中心のみの照度を高くする設計の従来のヘルメット用照明装置に比べて照射範囲が広く、暗闇での作業の効率化を図ることができる。更に、照射中心のみをピンポイントで照らすのに比べて目の疲労感を抑制することができる。
【００１１】
本考案に係るヘルメット用照明装置において、複数の白色発光ダイオードにそれぞれ電流制限抵抗が接続されている場合、照明部の電気回路を簡素化でき、照明部を構成する部品点数を抑制することが可能である。更に、定電流制御回路や定電圧制御回路を用いる場合に比べ、故障の発生率を抑えることや、ヘルメット用照明装置全体の軽量化を図ることができる。
【００１２】
本考案に係るヘルメット用照明装置において、基板がフレキシブル基板であって、ヘルメットの凸面に沿って変形してヘルメットに接合可能である場合、照明部をヘルメットに確実に固定することができる。
【００１３】
本考案に係るヘルメット用照明装置において、電池がリチウムイオン２次電池である場合、電源部は単位重量当たりの電力容量が大きくなり、ヘルメットを着用する者に与える負荷を抑制可能である。
【図面の簡単な説明】
【００１４】
【図１】本考案の一実施の形態に係るヘルメット用照明装置の説明図である。
【図２】同ヘルメット用照明装置のヘルメットの取り付け状態を示す説明図である。
【図３】同ヘルメット用照明装置の回路図である。
【考案を実施するための形態】
【００１５】
続いて、添付した図面を参照しつつ、本考案を具体化した実施の形態につき説明し、本考案の理解に供する。
図１、図２に示すように、本考案の一実施の形態に係るヘルメット用照明装置１０は、電源部１１と電源部１１に電源コード１２を介して連結される照明部１３とを有し、ヘルメット１４に取り付けて用いられる。以下詳細に説明する。
【００１６】
照明部１３は、図１、図２に示すように、基板の一例であるフレキシブル基板１５とそのフレキシブル基板１５の表面側に取り付けられた複数の白色発光ダイオード１６を有している。本実施の形態では、フレキシブル基板１５に４つの白色発光ダイオード１６が搭載されているが、白色発光ダイオード１６の数は４つに限定されず、その数は、例えば、３つ又は５つあるいはその他の数であってもよい。
【００１７】
照明部１３は鍔部１４ａとクラウン部１４ｂを備えるヘルメット１４のクラウン部１４ｂの正面側に取り付けられている。ヘルメット１４は、クラウン部１４ｂが他の多くのヘルメットと同様に平面視して楕円形状であり、照明部１３の取り付け箇所には凸面が形成されている。
フレキシブル基板１５は、柔軟性を有し、ヘルメット１４のクラウン部１４ｂ正面側の凸面に沿って変形してヘルメット１４に接合する。本実施の形態において、フレキシブル基板１５は、図１に示すように長方形状であり、長手方向に反った態様でヘルメット１４に固定される。
【００１８】
フレキシブル基板１５の裏面側には、図２に示すように面状ファスナ１７（第１の面状ファスナ）のファスナ片１７ａ（一方のファスナ片）が設けられている。そして、ヘルメット１４のクラウン部１４ｂ正面側には、接着剤によって面状ファスナ１７のファスナ片１７ｂ（他方のファスナ片）が貼り付けられている。ファスナ片１７ａはファスナ片１７ｂに対して着脱可能であり、フレキシブル基板１５は、ファスナ片１７ａをファスナ片１７ｂに取り付けることによってヘルメット１４のクラウン部１４ｂ正面側に固定される。
【００１９】
ファスナ片１７ｂの貼り付け位置は、照明部１３を取り付けるヘルメットの形状によって決定することができ、例えばクラウン部の表面に部分的に凹凸加工がなされているヘルメットに対しては、その凹凸加工を避けた位置にファスナ片１７ｂが貼り付けられる。
なお、ファスナ片１７ａは接着剤によってフレキシブル基板１５の裏面側に貼り付けられている。
【００２０】
複数の白色発光ダイオード１６は、図１に示すようにフレキシブル基板１５の長手方向に間隔を有して配置されている。
各白色発光ダイオード１６は、フレキシブル基板１５がヘルメット１４のクラウン部１４ｂ正面側に取り付けられた状態で、ヘルメット１４を平面視して円弧状に配置される。従って、複数の白色発光ダイオード１６は照射光中心が水平方向に拡散することになり、それぞれの照射光中心が平行である場合に比べて広範囲を照らすことができる。
また、各白色発光ダイオード１６は広角度（９０度〜１２０度）に光を発する加工が施されている。
【００２１】
照明部１３には、図１、図３に示すように、電源部１１から各白色発光ダイオード１６への電力供給をオンオフするボタン式のスイッチ１９と電流制限抵抗２０が設けられている。
各電流制限抵抗２０は白色発光ダイオード１６に一対一の関係でそれぞれ直列に接続されている。この電流制限抵抗２０は白色発光ダイオード１６へ供給される電力の電流値及び電圧値を調整するためのものである。
電流制限抵抗２０を用いた照明部１３は、定電圧回路や定電流回路を採用する場合に比べ簡素化された回路構成になっている。
なお、本実施の形態では、白色発光ダイオード１６は６０ｍＡ、３．０〜３．４Ｖの電力で点灯可能であり、電流制限抵抗２０の抵抗値は１５Ωである。
【００２２】
また、照明部１３は、スパイクノイズ対策用の平滑コンデンサ２１とＤＣジャック２２を備えている。電源コード１２にはＤＣジャック２２に抜き差し可能なＤＣプラグ２３が設けられており、ＤＣプラグ２３をＤＣジャック２２に差し込むことで電源部１１は照明部１３に電力供給が可能になる。
【００２３】
電源部１１は、図１、図２に示すように、充電式の電池であるリチウムイオン２次電池２４とリチウムイオン２次電池２４をヘルメット１４に固定する面状ファスナ２５（第２の面状ファスナ）を有している。
リチウムイオン２次電池２４は、電源コード１２を介して充電器に電気接続でき、充電によって複数回（例えば３００〜５００回）の使用が可能である。
【００２４】
面状ファスナ２５は対となる着脱可能なファスナ片２５ａ（一方のファスナ片）及びファスナ片２５ｂ（他方のファスナ片）から構成されている。本実施の形態では、図２に示すように、ファスナ片２５ａがリチウムイオン２次電池２４に直接設けられているが、周知の電池ホルダーを介してリチウムイオン２次電池２４に設けてもよい。
そして、ファスナ片２５ｂはヘルメット１４に接着剤を用いて貼り付けることができる。
【００２５】
リチウムイオン２次電池２４は、ヘルメット１４に貼り付けられたファスナ片２５ｂにファスナ片２５ａを取り付けることによってヘルメット１４に固定される。
ファスナ片２５ｂはフレキシブル基板１５をヘルメット１４に固定するファスナ片１７ｂとは別位置でヘルメット１４に貼り付けられており、電源部１１は照明部１３とは異なる位置でヘルメット１４に固定されることになる。
【００２６】
これは、照明部１３がヘルメット１４の正面の向く方向を照らすためにヘルメット１４のクラウン部１４ｂ正面側に配置されることを要するのに対し、電源部１１はヘルメット１４のクラウン部１４ｂ正面側に配置される必要はないためである。本実施の形態では、電源部１１がヘルメット１４の鍔部１４ａに載置された状態で取り付けられており、安定した状態でヘルメット１４に固定されている。
なお、本実施の形態では、ファスナ片２５ｂがヘルメット１４の鍔部１４ａに貼り付けられているが、ヘルメット１４の鍔部１４ａ以外の部位、例えばクラウン部１４ｂに貼り付けてもよい。
【００２７】
以上、本考案の実施の形態を説明したが、本考案は、上記した形態に限定されるものでなく、要旨を逸脱しない条件の変更等は全て本考案の適用範囲である。
例えば、フレキシブル基板は長方形状でなく、他の形状でもよく、例えば円形であってもよい。
【符号の説明】
【００２８】
１０：ヘルメット用照明装置、１１：電源部、１２：電源コード、１３：照明部、１４：ヘルメット、１４ａ：鍔部、１４ｂ：クラウン部、１５：フレキシブル基板、１６：白色発光ダイオード、１７：面状ファスナ、１７ａ、１７ｂ：ファスナ片、１９：スイッチ、２０：電流制限抵抗、２１：平滑コンデンサ、２２：ＤＣジャック、２３：ＤＣプラグ、２４：リチウムイオン２次電池、２５：面状ファスナ、２５ａ、２５ｂ：ファスナ片
【図１】
0003168425.tif 000003
【図２】
0003168425.tif 000004
【図３】
0003168425.tif 000005